(57)【要約】【課題】  印刷プレビューと実際の印刷物との整合性を高めること。【解決手段】  印刷される文書の少なくとも一部を表現する文書データをクライアント側でビューイングする方法であって、前記クライアントからプリントサーバに前記印刷される文書を転送するステップと、前記プリントサーバにて前記印刷される文書を文書データに変換するステップと、該文書データを前記クライアントに前記プリントサーバから転送するステップとを含む。前記文書データは、ラスター変換機能によって得られるラスター画像ファイルの少なくとも一部であり、該ラスター変換機能は前記文書を印刷するために用いられる。印刷される文書を文書データに変換するコントローラを備えるプリントサーバと、ネットワークを通して結ばれたクライアント計算機とを含む装置において、前記コントローラは、前記文書データに対しラスター画像ファイルを生成するラスター変換機能を含み、該ラスター変換機能は、前記少なくとも一つのプリントエンジン上で前記文書を印刷するために用いられる。【選択図】  図４
2005056414.tif 000002
【特許請求の範囲】
【請求項１】
印刷される文書の少なくとも一部を表現する文書データをクライアント側でビューイングする方法であって、
前記クライアントからプリントサーバに前記印刷される文書を転送するステップと、
前記プリントサーバにて前記印刷される文書を文書データに変換するステップと、
該文書データを前記クライアントに前記プリントサーバから転送するステップとを含み、
前記文書データは、ラスター変換機能によって得られるラスター画像ファイルの少なくとも一部であり、該ラスター変換機能は前記文書を印刷するために用いられることを特徴とする、クライアント側での文書データビューイング方法。
【請求項２】
前記プリントサーバでの前記ラスター変換機能は、前記ラスター画像ファイルを複数領域に分割するステップを実行する、請求項１に記載のクライアント側での文書データビューイング方法。
【請求項３】
前記印刷される文書を文書データに変換するステップの後、前記ラスター変換機能によって得られる前記ラスター画像ファイルを圧縮するステップが実行される、請求項１又は２に記載のクライアント側での文書データビューイング方法。
【請求項４】
データの流れは、
前記クライアントからプリントサーバに前記印刷される文書を転送するステップと、
前記プリントサーバにて前記印刷される文書を文書データに変換するステップと、
該文書データを前記クライアントに前記プリントサーバから転送するステップの期間中に流される、請求項１〜３の何れか１項に記載のクライアント側での文書データビューイング方法。
【請求項５】
前記クライアントは、クライアントデータバッファを備え、前記プリントサーバは、サーバデータバッファを備え、前記クライアントデータバッファのサイズと前記クライアントデータバッファのサイズとが動的に調整される、請求項５に記載のクライアント側での文書データビューイング方法。
【請求項６】
前記サーバでの前記ラスター変換機能は、前記文書データを前記クライアントに前記プリントサーバから転送するステップに対して最適化されたサイズを有するラスター画像ファイルを生成する、請求項１〜５の何れか１項に記載のクライアント側での文書データビューイング方法。
【請求項７】
前記サーバでの前記ラスター変換機能は、前記クライアントの要求に応じて、前記クライアント側でのズーミング目的に対して最適化されたサイズを有する第２のラスター画像ファイルを生成する、請求項１〜６の何れか１項に記載のクライアント側での文書データビューイング方法。
【請求項８】
前記文書データは、前記プリントサーバのメモリユニットに格納される、請求項１〜７の何れか１項に記載のクライアント側での文書データビューイング方法。
【請求項９】
前記印刷される文書は、前記プリントサーバのメモリユニットに格納される、請求項１〜８の何れか１項に記載のクライアント側での文書データビューイング方法。
【請求項１０】
印刷ジョブを少なくとも一つのプリントエンジンに送るプリントサーバと、前記プリントサーバにネットワークを通して接続される少なくとも一つのクライアントコンピューターとを含む装置であって、
前記クライアントは、印刷される文書をプリントサーバに転送するのに適し、該プリントサーバは、前記印刷される文書を文書データに変換するコントローラを含み、該文書データをクライアントに転送するのに適しており、
前記コントローラは、前記文書データに対しラスター画像ファイルを生成するラスター変換機能を含み、該ラスター変換機能は、前記少なくとも一つのプリントエンジン上で前記文書を印刷するために用いられることを特徴とする装置。
【請求項１１】
少なくとも１つのプロセスユニットをして請求項１〜９の何れか１項に記載の方法を実行させる指令を含むことを特徴とする、コンピューター読み取り可能な媒体上のコンピュータープログラム製品。
【発明の詳細な説明】
【技術分野】
【０００１】
本発明は、少なくとも印刷される文書の一部分を表現する文書データをクライアント側でビューイングする方法に関し、当該方法は、クライアントから印刷される文書をプリントサーバに転送するステップと、印刷される文書をサーバで文書データに変換するステップと、当該文書データをプリントサーバからクライアントに転送するステップとを含む。
【０００２】
また、本発明は、印刷ジョブを少なくとも一つのプリントエンジン(print engine)に送るためのプリントサーバと、ネットワークを通してプリントサーバに結ばれた少なくとも一つのクライアントコンピューターとを含む装置に関するものであり、本装置では、クライアントは、印刷される文書をプリントサーバに転送するのに適し、プリントサーバは、印刷される文書を文書データに変換するコントローラを含み、当該文書データをクライアントに転送するのに適する。
【０００３】
また、本発明は、コンピューターが読み取ることのできる媒体上に存在するコンピュータープログラム製品に関し、当該コンピュータープログラム製品は、少なくとも一つのプロセスユニットをして本発明による方法を実行させるためのインストラクションを含む。
【背景技術】
【０００４】
大抵のネットワークは、プリントエンジンが取り付けられるプリントサーバと、プリントサーバのリソースを共有する多数のクライアントコンピューターとを含み、プリンタがネットワークの多くのユーザによって利用できるようにしている。印刷される文書は、印刷ジョブをクライアントコンピューターからプリントサーバに送信するジョブサブミッター(job submitter)を利用して、クライアントコンピューターから送られる。
【０００５】
印刷される文書は、通常、テキストとグラフィックスを含む。テキストは、ページ上に文字と他の記号で書かれる。一方グラフィックスは、例えば線、図版または絵である。グラフィックスは、ドットの配列（ビットマップグラフィックス、ラスターグラフィックスとも呼ばれる）、または線の集まり（ベクトルグラフィックス）としてプリントサーバに送信されうる。アウトラインフォントが使われるとき、一つの文字は、当該文字の境界を形作る線を定義する等式の一セットとして格納される。
【０００６】
プリントサーバは、翻訳及びラスタリザーション(rasterisation)機能を持つコントローラを備える。コントローラの翻訳機能は、クライアントコンピューターから送られてくるデータを調べ、データの中に埋め込まれている、プリンタコントロール、ページフォーマット、フォント管理、テキストレイアウトとグラフィックスのような、コマンドを識別する。ラスターリングは、画像を印刷のために準備するプロセスでの最終段階であり、受け取ったコマンドをプリンタエンジンによって使用されるドットの配列に変換する。プリンタサーバはラスター画像プロセッサ（RIP）を備え、ベクトルフォーマットオブジェクト(vector format objects)を含むファイルをプリントエンジンに送られるラスター画像ファイル（また所謂ビットマップファイル）へと翻訳することを実行する。このように、RIPは、テキストの各文字に対しビットマップを生成し、それを配列内の特定の場所に配置し、次いで、当該配列に任意のビットマップグラフィックスを重ね合わせて、印刷されるパターンを形成する。ビットマップファイルが準備されるとプリントエンジンに送られる。
【０００７】
印刷されるべき文書を表現する文書データをクライアントコンピューター上でビューイングするための知られている方法は、クライアントの専用アプリケーションソフトウエアを使う。しかしながら、この方法は、専売のクライアントソフトウエアを必要とし、また、複雑さや、クライアント上で得られるビューが印刷文書とずれるといったような多くの欠点を持つ。特に、グラフィックスとアウトラインフォントは適切に描かれない。さらに、クライアントのアプリケーションソフトウエアは、ネットワークを通してアクセスできる全てのプリントエンジンにおけるすべての文字を知る必要がある。これは全てのクライアントコンピューターで利用できる必要のある非常に複雑なソフトウエアを伴う。
【０００８】
印刷されるべき文書を表現する文書データをクライアントコンピューター上でビューイングする方法の一つは、EP 1 132 808 A1から知られている。この文献は、いかにして印刷ジョブが電気的に複写センターに送信されるかについて開示しており、複写センターでは、印刷ジョブは、印刷される文書の最終の体裁を示すのに適したフォーマットに変換され、当該印刷ジョブは、ビューイング目的のため、このフォーマットでクライアントに再送信できる。このフォーマットで得られた文書は、例えばPDF(Portable Document Format)、複写センターの一時的文書記憶部に格納され、センターの永久的文書記憶部に格納され、次いで、プリンタに送信される。この方法は、ビューイング目的のために変換された文書がプリント装置に依存せず、また、近似的な最終体裁しか得られないという問題を持つ。プリントエンジンパラメータ（プリンタマージン、ペーパサイズ、ペーパに関する画像の位置など）による影響は適切に描けない。さらに、アウトラインフォントは正しく表現されない。
【発明の開示】
【発明が解決しようとする課題】
【０００９】
本発明は、これらの問題を緩和する方法を提供しようとしたものである。従って、本発明の目的は、印刷される文書の少なくとも一部を表現する文書データをクライアント側でビューイングするための改良された方法を提供することであり、プリント文書の真の最終体裁がクライアントコンピューター上でビューイングできる。
【課題を解決するための手段】
【００１０】
本発明によれば、上記の目的は、印刷される文書の少なくとも一部を表す文書データをクライアント側でビューイングするための方法によって達成され、この文書データは、文書を印刷するために使われているラスター変換機能によって得られるラスター画像ファイルの少なくとも一部である。プリントサーバのラスター変換機能は、選定されたプリントエンジンに対するラスター画像ファイルを作成するために使われるものと同じであるので、作成された文書データは、クライアント側に文書の真の最終体裁を示すプレビューを得ることを保証する。これは、特にグラフィックやアウトラインフォントに適用する。さらに、クライアントコンピューターのアプリケーションはPDFファイルを翻訳する必要がある場合に比べて複雑ではなく、多くの種々の環境への発展を容易とする。
【００１１】
本発明による方法の好ましい実施例は、前記プリントサーバでの前記ラスター変換機能が、前記ラスター画像ファイルを複数領域に分割するステップを実行することを特徴とする。これにより、プリントサーバによって生成されるビットマップ画像に対してクライアント側でより効率的なビューイング処理が達成される。
【００１２】
好ましくは、前記印刷される文書を文書データに変換するステップの後、前記ラスター変換機能によって得られる前記ラスター画像ファイルを圧縮するステップが実行される。これにより、文書データのより効率的で早いプリントサーバからクライアントへの転送を得ることが可能となる。
【００１３】
本発明による方法の好ましい実施例では、データの流れは、前記クライアントからプリントサーバに前記印刷される文書を転送するステップと、前記プリントサーバにて前記印刷される文書を文書データに変換するステップと、該文書データを前記クライアントに前記プリントサーバから転送するステップの期間中に流される。これにより、最適な性能が保証され、クライアント側で画像のビューイングに必要な時間を短縮できる。
【００１４】
本発明の一局面によると、前記クライアントは、クライアントデータバッファを備え、前記プリントサーバは、サーバデータバッファを備え、前記クライアントデータバッファのサイズと前記クライアントデータバッファのサイズとが動的に調整される。これにより、クライアントのための待ち時間を短縮できる。
【００１５】
本発明による方法の一実施例では、前記サーバでの前記ラスター変換機能は、前記文書データを前記クライアントに前記プリントサーバから転送するステップに対して最適化されたサイズを有するラスター画像ファイルを生成する。これにより、転送されるデータ量を制限でき、クライアント側で文書をビューイングする時間の利益が保証される。
【００１６】
好ましくは、前記サーバでの前記ラスター変換機能は、前記クライアントの要求に応じて、前記クライアント側でのズーミング目的に対して最適化されたサイズを有する第２のラスター画像ファイルを生成する。これにより、クライアントは印刷される全ての文書に対し、またはズーミングされる領域のみに対しより高い解像で第２のラスター画像ファイルを要求できる。
【００１７】
本発明の一局面によると、前記文書データは、前記プリントサーバのメモリユニットに格納される。これにより、プリントサーバのラスター変換機能によって得られるラスター画像ファイルはメモリ内にある時間保存され、これにより、同じ文書がビューイングされるときに、前記印刷される文書を再び文書データに変換するステップが回避される。
【００１８】
本発明による方法の一実施例では、前記印刷される文書は、前記プリントサーバのメモリユニットに格納される。これにより、例えば、先ずクライアント上でのビューイング目的で更にその後の印刷のために、前記印刷される文書を何度もプリントサーバに送る必要性が回避される。
【００１９】
本発明による装置は、コントローラが、前記文書データに対しラスター画像ファイルを生成するラスター変換機能を含み、該ラスター変換機能は、前記少なくとも一つのプリントエンジン上で前記文書を印刷するために用いられることを特徴とする。
【００２０】
次に、本発明は、次の本発明の模範的実施例への参照により説明され、図面への参照により図示される。各実施例は、本発明を例示するだけでのものあり、限定的に解釈されるべきでない。
【発明を実施するための最良の形態】
【００２１】
図１はクライアントコンピューター２、少なくとも一つのプリントエンジン2２、そしてローカルネットワークNに結ばれたプリントサーバ４のシステムを示す。この発明に関する装置は印刷ジョブをプリントエンジン22に送るプリントサーバ４とプリントサーバ４にネットワークNによって結ばれた少なくとも一つのクライアントコンピューター２から構成される。クライアントコンピューターは、例えばワークステーションであり、それぞれは少なくとも一つのプロセッサ6（図3に示す）、ランダムアクセスメモリ8、ハードディスク10、グラフィックカード9とネットワークカード11を持っている。モニターのようなディスプレイユニット14は表示目的のためにクライアントコンピューター２に接続される。また、クライアントコンピューター2は、入力手段12、例えばキーボードやマウスまたは他の指示装置を含む。ローカルネットワークＮに結ばれたワークステーション2から印刷されるべき文書を持っているユーザは、多くのプリントエンジン２２からその目的に応じて選択できる。明らかであるが、プリントサーバのすべてまたは一部の構成要素はプリントエンジン22内に配置できるであろう。
【００２２】
図2は印刷ジョブをプリントエンジン22に送るプリントサーバ4の各部が図式的に示されている。プリントエンジン22は任意の数の印刷技術を使うことができる。それは例えば熱乾式インクジェット、ペンプロッター、或いは有機光導体技術に基礎を置くプレスシステムである。カラー印刷は例えば4つの青紫、赤紫、黄と黒のような基本インクで与えられるインクジェットプリンタを用いて行われる。プリントエンジン22の各部はデジタル画像データに関連する画像サポート上で画像の印刷させるためのプリンタユニット130、供給ユニット140、画像サポートに対する仕上げ・出力セクション150とユーザインターフェイスユニット160からなっている。コントロールユニット18と図3に示されたプリントサーバ４のネットワーク接続ユニット19はプリントエンジン22の異なった部分と接続されている。
【００２３】
プリンタユニット130は、それ自体が知られている電気光グラフィックプロセスステージを構成し、そこではベルトの形の光導体媒体131がコロナユニット132によって帯電されそしてそのときデジタル画像データに関連してLED配列133によって曝される。媒体131上でその際に形成される電荷画像は現像ユニット134でトナー粒子により現像され、その後、トナー画像は、転写・固着のための結合ユニット(combined transfer and fixing unit)135において高温ゴムベルト136に転写される。トナー粒子はこのベルト136の熱によって柔らかくなりそしてべとつくようになる。それはコンベヤー137を通して供給ステージから供給される画像サポート上に、通常的には紙シート上に転写されそして固着される。
【００２４】
例えば異なったサイズや向きの紙シートのような画像サポートの供給は、供給ユニット140において利用可能である。
【００２５】
トナー画像をもつ画像サポートは、コンベヤー138を通して、仕上げ・出力セクション150に輸送される。ここでは、必要ならばそれらをセットに揃えたり、止めたりそしてそのとき供給トレイ151でそれらを保管する。
【００２６】
ユニット160のユーザインターフェイスパネルは、ディスプレイスクリーンやキーを備える。ユニット160はコントロールユニット18とプリントサーバ４のネットワーク接続ユニット19に接続されている。ユニット160はまたプリントエンジンのスイッチをオン／オフするためのコンタクトロック(contact lock)161と順番待ちパラメータ設定などのユーザの選択に対するボタンのような他の入力手段を含む。
【００２７】
プリントエンジン22に接続されているプリントサーバ4のコントロールユニット18はマイクロプロセッサ21（図3に示す）、ハードディスクと適当なハードウエア回路のようなメモリ20を構成し、そしてユニット130、140、150と160を制御するモジュールからなる。コントロールユニットはまたデジタル画像を処理するための画像プロセスモジュールからなり、良質の画像の印刷がプリンタユニット130によって作り得る。
【００２８】
プリントエンジン22に接続されたプリントサーバ４も、ローカルネットワークNへの接続のためにネットワーク接続ユニット19を含み、それらはケーブル172の形で概略的に示されている。ネットワーク接続ユニットはクライアントコンピューター（ワークステーション）から印刷ジョブを受け取り、それらをプリントユニット130で処理できる形で変換し、そしてデジタル画像が画像サポート上で印刷されるコントロールユニット18との協働処理によって確実にする。
【００２９】
ここで、本発明による方法の一実施例を示すフロー図である図４を参照して、印刷される文書の少なくとも一部を表現するデータをクライアント側でビューイングする方法が説明される。参考番号200は計算機クライアント側で起こるプロセスを示しており、一方、参考番号400はサーバ側で起こるプロセスを示している。
【００３０】
本発明は印刷される任意のタイプの文書をビューイングするために使うことができ、そしてランダムに分布した小さなディテールを含む領域を持っているワイドフォーマット原稿カラー画像をビューイングするのに特に有用である。エンジニアリング製図はそのような原画の典型的な例である。印刷される文書はHP-GL/2、 Calcomp、 PostScript/PDF等のようなフォーマットを持つことができる。本発明による方法はベクトルバースのグラフィックスがそれらを印刷する前にクライアントコンピューターでビューイングされ得るときに特に有用である。それは、線太さやカラーなどの重大な可視様相が実際の印刷前にチェックできるので、線のようなベクトルベースのグラフィックスのビューイングを行うのには特に有用である。それはまたアウトラインフォントのビューを得るのにも非常に有用である。
【００３１】
ユーザが、フォーマットHP-GL/2による設計図のような印刷される文書をモニター上でビューイングしたいと思うとき、ユーザは、たとえばモニターのアプリケーションウィンドウで目的にかなったアイコンをクリックすることによりクライアントのアプリケーションを呼び出す。印刷される文書に対応するファイルはクライアント側で読まれる（図４のステップS2）。ユーザは文書が印刷されるべきかを決定する前にビューイング機能の使用を選択することができる。このようにビューイングされたり印刷されたりする文書はローカルネットワークNによってプリントサーバ４に転送される（ステップS4）、プリントサーバはユーザによって選択されたプリントエンジン22に結ばれている。ファイルを送る際に、httpネットワークコミュニケーション(S6)が使われるであろう。
【００３２】
プリントサーバ側400では、プロセスは図4のステップS8によって示すようにクライアントコンピューターからデータを受け取ることに専念する。受け取った印刷ジョブはコントロールユニット18によって組み込むことができる。例えば、それは待ち行列の中に置かれる。オプションとして(S10)、印刷される文書によるデータはプリントサーバ4でハードディスク20のようなメモリで保存されるであろう（S12）、プリントサーバは同じ文書が印刷されるかビューイングされるときに再びデータを送るのを避ける。プリントサーバ側でのプロセスは印刷されるべき文書をインタープリタに転送することに専念する。次に、コントロールユニット18のラスター画像プロセッサ（RIP）のようなプロセッサ21によって実行されるラスター変換機能(S14)はビューイングされたり印刷されたりする文書を翻訳する。このように、ラスター画像ファイルはラスター変換機能によって得られる、そのラスター変換機能は文書を印刷するために使われるラスター画像ファイルを作るために使われるのと同じものである。オプション(S16)では、翻訳の結果はプリントサーバ4のハードディスクのようなメモリ装置20上に保存されるであろう。
【００３３】
プロセス(S20)はラスター変換機能によって文書データ出力を読むのに専念される。文書データは少なくともTIFFフォーマットのようなラスター画像ファイルの一部である。プリントサーバでのラスター変換機能はラスター画像ファイルを領域に分割するステップを実行することが選ばれる。領域は画像の任意の部分であり、それは任意の便利な画像領域のファイルまたは画像帯域でありうる。本発明によると、同じラスター変換機能はユーザが文書を印刷する際に使われる。
【００３４】
次に、文書データは例えばhttpネットワークコミュニケーション(S22)を使うクライアントコンピューターに送られる。文書データはクライアントコンピューター(S24)によって受け取られそして例えばメモリ装置10上に格納されるファイルに書き込まれる。ユーザは印刷される文書(S28)のビューを得たいと思うかを決定することができる。もしそうならば、クライアントコンピューター側でのビューイングアプリケーションは、例えばTIFF文書である文書データを読み出し、当該文書データをディスプレイ（モニター14）にディスプレイすることで、開始される(S30)。ビューイング目的で生成された文書データの解像度は例えばインチ当たり(dpi)100ドットである。100dpiの相対的に低い解像度はプリントサーバからクライアントコンピューターに文書データ(例えばTIFF ラスター画像ファイル)の早急の転送に好適である。100dpiのビュー解像度はこのようにディスプレイスクリーン上で得られるビューの質と転送スピードとのトレイドオフの例である。しかしながら、ユーザが文書のある領域をズーミングするにはより高い解像度を必要とすることがたびたび起こる。ユーザは現在のビューの解像度が満足されるか(S32)を問われる。もし満足しないならば、他のラスター画像ファイルがプリントサーバ側でラスタリゼーション機能によってズーミング目的に好適な解像度で生成される(S14)、そして、ラスター画像ファイルは上に述べたステップを繰り返し、クライアントコンピューターに転送される。
【００３５】
図４の参照番号Pはプロセスがお互いにデータバッファを通して結ばれていることを示す。データバッファはメモリの流れで、一つのプロセスがデータを書き、一方他のプロセスはデータを読むことができる。各データバッファはある利用可能な制限されたメモリを持つ。データバッファが一杯になると、書込み操作がホールド状態になる。バッファが空のときは読み取り処理がホールド状態になる。
【００３６】
さらに効率を良好にするには、ファイルはブロック毎に送ることができる。各ブロックを転送するために、httpリクエストがどっと流れる、それゆえ、プロトコルがそのヘッダーの範囲内の要求サイズを与える必要がある。この特性はメモリ消費量の故にシングルのhttpリクエストでは大きなファイルを送ることを許さない。それ故に、ブロック毎にファイルを送ることが好まれる。例えば、クライアントコンピューターからプリントサーバへネットワークを通してブロックが送られる(S4、S6)期間中に、場所取っている他のプロセスは次のブロックを読み始める(S2)。結果のブロックが受け取られると、それを結果のファイルに書き込むためにもう一方のプロセスに転送される、これは、現在のブロック書き込みがなされる(S22、S24、S26)前に次の結果のブロックをできるだけ早く要請するためである。
【００３７】
図５はファイルがクライアントコンピューター(200)からプリントサーバ(400)にどのように送られるかを説明するための図式を示す。要求される変更に従って、ステップS20、S22、S24にも適用できよう。このように、全体の翻訳・ラスタリゼーション時間が最適化され得る。
【００３８】
ブール演算(S40)は取り扱っているブロックが最後のファイルであるかを決定する。もしそうであるならば、ファイル送りのプロセスが終わる。もしそうでなければ、ブロックはプリントサーバに送られ(S42)、プリントサーバで読み出される(S44)。そのとき、ブロックはインタープリタ／ラスタライザー（S46）に送られる。クライアントコンピューターのプロセス(S48)はファイル送りが始まった瞬間とラスター画像ファイルがクライアントコンピューターで可能になった瞬間との間の全体の継続時間を推定する。この推定はカレントブロックがインタープリタ／ラスタライザーに送られるのに掛かる時間を全体のファイルサイズに対し外挿することによってなされる。前の結果と比較によって、傾向がブロックサイズを増やすべきか減少させるべきかの結論付けることを可能とする。これはプロセスの時間効率を上げるためになされる。
【００３９】
さらに早いプロセスとデータの転送を得るために、目的をビューイングするためのRIPにより得られるラスター画像ファイルを圧縮することが推奨される。より適切なフォーマットは例えば圧縮されたTIFFである。
【図面の簡単な説明】
【００４０】
【図１】本発明に関連した使用目的において、ネットワーク環境内のクライアントに接続されるプリントサーバの概念図である。
【図２】本発明に関連した使用目的において、プリントエンジンにジョッブを送るためのプリントサーバの概念図である。
【図３】本発明による装置の一実施例を構成する簡略化された要素構成図である。
【図４】本発明による方法の一実施例を示すフロー図である。
【図５】転送過程の一実施例を示す流れの概念図である。
【符号の説明】
【００４１】
２    クライアントコンピューター
４    プリントサーバ
14    ディスプレイユニット
2２    プリントエンジン
N    ローカルネットワーク
【図１】
2005056414.tif 000003
【図２】
2005056414.tif 000004
【図３】
2005056414.tif 000005
【図４】
2005056414.tif 000006
【図５】
2005056414.tif 000007